(57)【特許請求の範囲】
【請求項１】
集塵パイプの基端部を浴槽の排水口に連通連結し、サイホンの作用を利用して浴槽に貯留する水とともに浴槽内に浮遊する塵を浴槽の排水口から排出することで浴槽を清掃する浴槽清掃具において、
集塵パイプの基端部と浴槽の排水口との連通部に上下伸縮自在の圧縮室を形成するとともに、圧縮室の下端部に浴槽の排水口に挿入するための接続部を形成する一方、圧縮室の上部に上下に伸延させた支持体の下端部と集塵パイプの基端部とを取付けたことを特徴とする浴槽清掃具。
【請求項２】
前記圧縮室と集塵パイプとの間に逆流防止弁を設けたことを特徴とする請求項１に記載の浴槽清掃具。
【発明の詳細な説明】
【技術分野】
【０００１】
本発明は、集塵パイプの基端部を浴槽の排水口に連通連結し、サイホンの作用を利用して浴槽に貯留する水とともに浴槽内に浮遊する塵を浴槽の排水口から排出することで浴槽を清掃する浴槽清掃具に関するものである。
【背景技術】
【０００２】
従来より、風呂水の再利用や有効利用を図るために、浴槽内に浮遊する塵を除去する浴槽清掃具が考案されている。
【０００３】
たとえば、特許文献１や特許文献２に開示されている浴槽清掃具では、集塵パイプの基端部を浴槽の排水口に連通連結し、サイホンの作用を利用して浴槽に貯留する水とともに浴槽内に浮遊する塵を浴槽の排水口から排出することで浴槽を清掃するように構成していた。
【０００４】
【特許文献１】特開平１１−２６７０５６号公報
【特許文献２】実開平６−８５６６１号公報
【発明の開示】
【発明が解決しようとする課題】
【０００５】
ところが、上記従来の浴槽清掃具では、集塵パイプの基端部を浴槽の排水口に直結した構造となっていたために、浴槽に残留する水の量が少なく十分なサイホン効果が得られない場合や、集めた塵が集塵パイプや浴槽の排水口の内部で詰まって水流の勢いが弱まりサイホン効果が低減してしまう場合があり、浴槽の掃除が円滑に行えなくなるおそれがあった。
【課題を解決するための手段】
【０００６】
そこで、請求項１に係る本発明では、集塵パイプの基端部を浴槽の排水口に連通連結し、サイホンの作用を利用して浴槽に貯留する水とともに浴槽内に浮遊する塵を浴槽の排水口から排出することで浴槽を清掃する浴槽清掃具において、集塵パイプの基端部と浴槽の排水口との連通部に上下伸縮自在の圧縮室を形成するとともに、圧縮室の下端部に浴槽の排水口に挿入するための接続部を形成する一方、圧縮室の上部に上下に伸延させた支持体の下端部と集塵パイプの基端部とを取付けることにした。
【０００７】
また、請求項２に係る本発明では、前記請求項１に係る本発明において、前記圧縮室と集塵パイプとの間に逆流防止弁を設けることにした。
【発明の効果】
【０００８】
そして、本発明では、以下に記載する効果を奏する。
【０００９】
すなわち、本発明では、集塵パイプの基端部を浴槽の排水口に連通連結し、サイホンの作用を利用して浴槽に貯留する水とともに浴槽内に浮遊する塵を浴槽の排水口から排出することで浴槽を清掃する浴槽清掃具において、集塵パイプの基端部と浴槽の排水口との連通部に上下伸縮自在の圧縮室を形成するとともに、圧縮室の上部に上下に伸延させた支持体を取付けているために、支持体を利用して圧縮室を上下に伸縮させることによって浴槽の水を排水口から強制的に排出することができるので、浴槽に残留する水の量が少なく十分なサイホン効果が得られない場合や、集めた塵が集塵パイプや浴槽の排水口の内部で詰まって水流の勢いが弱まりサイホン効果が低減してしまう場合でも、圧縮室の圧縮によるポンプ効果で水流の勢いを増大させることができ、これにより、十分なサイホン効果を発揮させて浴槽の清掃を円滑に行うことができる。
【００１０】
しかも、本発明では、支持体を手に持って圧縮室を浴槽の排水口に挿入することができるので、手を濡らすことなく浴槽の排水口に圧縮室を挿入することができ、浴槽清掃具の使い勝手を向上させることができる。
【００１１】
特に、本発明では、圧縮室を上下伸縮自在に形成するとともに、圧縮室の上部に上下に伸延させた支持体を取付けているために、支持体を用いて圧縮室を容易かつ確実に圧縮させることができる。
【００１２】
また、圧縮室と集塵パイプとの間に逆流防止弁を設けることで、圧縮室から集塵パイプを介して浴槽に塵が逆流してしまうのを防止することができ、これによっても、浴槽清掃具の使い勝手を向上させることができる。
【発明を実施するための最良の形態】
【００１３】
以下に、本発明に係る浴槽清掃具の具体的な構成について図面を参照しながら説明する。
【００１４】
図１に示すように、本発明に係る浴槽清掃具１は、浴槽２の排水口３に接続し、サイホンの作用を利用して浴槽２に貯留する水４とともに浴槽２の内部に浮遊する塵を浴槽２の排水口３から排出することで浴槽２を清掃するものである。
【００１５】
この浴槽清掃具１は、図１及び図２に示すように、中空円筒状の圧縮室５の上部に上下に伸延させた棒状の支持体６を取付けるとともに、圧縮室５の上部に可撓性を有する中空状の集塵パイプ７の基端部を連通連結し、集塵パイプ７の先端部に棒状の把持体８を取付けている。
【００１６】
圧縮室５は、図３及び図４に示すように、外周を蛇腹状に形成して上下方向に向けて伸縮する伸縮部９を形成するとともに、伸縮部９の上端部に中空円筒状の連結部10を形成し、連結部10に集塵パイプ７の基端部を接続している。なお、圧縮室５は、伸縮部９を側方から押圧しても伸縮するように形成している。
【００１７】
また、圧縮室５は、連結部10の内部に、集塵パイプ７の基端開口部を開閉する逆流防止弁11を収容している。
【００１８】
この逆流防止弁11は、圧縮室５の連結部10の上部に円板状の弁体12を回動軸13を介して上下回動自在に取付けて構成している。
【００１９】
そして、逆流防止弁11は、集塵パイプ７から連結部10に向けて水４が流れるときには、水４の流れによって弁体12が上方に押し上げられ、集塵パイプ７の基端開口部が開放された状態となり（図４中、一点鎖線で示す状態。）、集塵パイプ７から圧縮室５の内部へ水４が流れ込むようになっている。
【００２０】
一方、逆流防止弁11は、連結部10から集塵パイプ７に向けて水４が流れるときには、水４の流れによって弁体12が集塵パイプ７の基端開口部に押し付けられ、集塵パイプ７の基端開口部が閉塞された状態となり（図４中、実線で示す状態。）、圧縮室５から集塵パイプ７へ水４が流れるのを阻止するようになっている。
【００２１】
また、圧縮室５は、伸縮部９の下端部に中空円筒状の接続部14を形成し、接続部14の外周を下端に向けて先細り形状に形成して浴槽２の排水口３に接続部14を挿入しやすくし、また、接続部14の下端部に円形開口状の排出口15を形成している。
【００２２】
支持体６は、下端部を圧縮室５の連結部10の上端中央部に接続するとともに、上端部を浴槽２の水４よりも上方に露出させている。
【００２３】
集塵パイプ７は、基端部を圧縮室５の連結部10に接続し、中途部を可撓性を有する蛇腹状に形成し、先端部の上側外周に把持体８の下端部を接続している。
【００２４】
浴槽清掃具１は、以上に説明したように構成しており、支持体６の上部を持って圧縮室５の接続部14を浴槽２の排水口３に上方から圧入して圧縮室５の排出口15と浴槽２の排水口３とを連通連結させ、把持体８の上部を持って集塵パイプ７の先端部を浴槽２の内部で移動させることで、サイホンの作用を利用して浴槽２に貯留する水４とともに浴槽２の内部に浮遊する塵を集塵パイプ７から吸い込み、圧縮室５を介して浴槽２の排水口３から排出する。
【００２５】
そして、上記浴槽清掃具１では、集塵パイプ７の基端部と浴槽２の排水口３との連通部に上下伸縮自在の圧縮室５を形成するとともに、圧縮室５の上部に上下に伸延させた支持体６を取付けた構成となっている。
【００２６】
そのため、上記浴槽清掃具１では、支持体６を利用して圧縮室５を上下に伸縮させることによって浴槽２の水４を排水口３から強制的に排出することができる。したがって、上記浴槽清掃具１では、浴槽２に残留する水４の量が少なく十分なサイホン効果が得られない場合や、集めた塵が集塵パイプ７や浴槽２の排水口３の内部で詰まって水流の勢いが弱まりサイホン効果が低減してしまう場合でも、圧縮室５の圧縮によるポンプ効果で水流の勢いを増大させることができ、これにより、十分なサイホン効果を発揮させて浴槽２の清掃を円滑に行うことができる。
【００２７】
しかも、上記浴槽清掃具１では、支持体６を手に持って圧縮室５を浴槽２の排水口３に挿入することができるので、手を濡らすことなく浴槽２の排水口３に圧縮室５を挿入することができ、浴槽清掃具１の使い勝手を向上させることができる。
【００２８】
特に、上記浴槽清掃具１では、圧縮室５を上下伸縮自在に形成するとともに、圧縮室５の上部に上下に伸延させた支持体６を取付けているために、支持体６を用いて圧縮室５を容易かつ確実に圧縮させることができる。
【００２９】
さらに、上記浴槽清掃具１では、圧縮室５を圧縮させた際に塵が浴槽２に逆流してしまうおそれがあるため、圧縮室５と集塵パイプ７との間に逆流防止弁11を設けている。
【００３０】
そのため、上記浴槽清掃具１では、逆流防止弁11の作用で圧縮室５を圧縮させた際に圧縮室５から集塵パイプ７を介して浴槽２に塵が逆流してしまうのを防止することができ、これによっても、浴槽清掃具１の使い勝手を向上させることができる。
【図面の簡単な説明】
【００３１】
【図１】浴槽清掃具の使用状態を示す斜視図。
【図２】浴槽清掃具の全体側面図。
【図３】圧縮室を示す側面図（(a)通常状態、(b)圧縮状態）。
【図４】圧縮室を示す側面断面図。
【符号の説明】
【００３２】
１  浴槽清掃具
２  浴槽
３  排水口
４  水
５  圧縮室
６  支持体
７  集塵パイプ
８  把持体
９  伸縮部
10  連結部
11  逆流防止弁
12  弁体
13  回動軸
14  接続部
15  排出口
【要約】
【課題】浴槽清掃具の使い勝手を向上させること。
【解決手段】本発明では、集塵パイプ（７）の基端部を浴槽（２）の排水口（３）に連通連結し、サイホンの作用を利用して浴槽（２）に貯留する水（４）とともに浴槽（２）内に浮遊する塵を浴槽（２）の排水口（３）から排出することで浴槽（２）を清掃する浴槽清掃具（１）において、集塵パイプ（７）の基端部と浴槽（２）の排水口（３）との連通部に上下伸縮自在の圧縮室（５）を形成するとともに、圧縮室（５）の上部に上下に伸延させた支持体（６）を取付けることにした。また、前記圧縮室（５）と集塵パイプ（７）との間に逆流防止弁（１１）を設けることにした。
【選択図】図１【図１】
0004153975.tif 000002
【図２】
0004153975.tif 000003
【図３】
0004153975.tif 000004
【図４】
0004153975.tif 000005